【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
入口及び出口を有するフィルタヘッドと着脱自在に係合するように適合されたフィルタエレメントであって、
外側ハウジングと、
前記外側ハウジング内で非着脱自在に固定されたフィルタカートリッジであって、
中央開口を画定している開放端部キャップと、
閉鎖端部キャップと、
フィルタメディアの管状リングであって、前記開放端部キャップと前記閉鎖端部キャップとの間を、且つ、長手軸の周囲を、前記長手軸に沿って軸方向に延びており、内側キャビティを画定しており、更に、前記外側ハウジングと前記フィルタメディアの外側周辺部との間に外側キャビティを画定しており、前記フィルタエレメントの入口側が前記外側キャビティを含み、前記フィルタエレメントの出口側が前記内側キャビティを含む、前記管状リングと、を有する前記フィルタカートリッジと、
一体構造を有し、前記外側ハウジング内で非着脱自在に固定されており、少なくとも１つの入口ポートを介する前記入口と前記入口側との間の流れを可能にしているベースプレートと、
前記開放端部キャップと前記ベースプレートとの間で保持されており、前記開放端部キャップを前記ベースプレートに対して封止することによって、流体が前記フィルタメディアをバイパスして前記入口側と前記出口側との間を流れることを防ぐ第１の封止材と、
前記ベースプレートによって保持されており、フィルタヘッドの第１の封止面との間を封止するように構成された第２の封止材と、
前記ベースプレートによって保持されており、フィルタヘッドの第２の封止面との間を封止するように構成された第３の封止材と、
を備えるフィルタエレメント。
【請求項２】
前記第２の封止材は、前記入口側と前記出口側との間の流体連通を阻止するように配置されており、前記第３の封止材は、前記入口側と前記外側ハウジングの外側との間の流体連通を制限するように配置されている、請求項１に記載のフィルタエレメント。
【請求項３】
前記ベースプレートと前記外側ハウジングとの間に保持されており、前記入口側と前記ハウジングの外側との間の流体連通を制限するように配置されている第４の封止材を更に備える、請求項１又は２に記載のフィルタエレメント。
【請求項４】
前記ベースプレートは、第１の流れ開口と、少なくとも１つの入口ポートと、封止材取り付け部分と、前記フィルタヘッドと着脱自在に係合するように構成された外側取り付け部分と、前記フィルタカートリッジを前記外側ハウジング内で非着脱自在に固定するように適合された保持部分と、を備える、請求項１から３のいずれか一項に記載のフィルタエレメント。
【請求項５】
前記外側ハウジングは、リップ部分を画定しており、前記リップ部分は、部分的に、前記ベースプレートに軸方向に突き当たって、前記ベースプレートを前記ハウジング内で非着脱自在に固定している、請求項１から４のいずれか一項に記載のフィルタエレメント。
【請求項６】
前記封止材取り付け部分は、前記開放端部キャップ及び前記閉鎖端部キャップから離れるように軸方向に延びており、前記第２の封止材を軸方向に保持し、半径方向に支持するように適合された半径方向外向き開口溝を画定している、請求項４に記載のフィルタエレメント。
【請求項７】
前記開放端部キャップの前記中央開口は、軸方向依存部分と、前記軸方向依存部分に取り付けられた半径方向内向きに延びる部分とに囲まれ、これらによって、前記第１の封止材を軸方向及び半径方向に支持するように適合された階段状構成を形成している、請求項１から６のいずれか一項に記載のフィルタエレメント。
【請求項８】
前記第１の流れ開口は、環状に延びる部分に囲まれており、前記環状に延びる部分は、前記開放端部キャップの前記中央開口を貫通して軸方向に延びており、これによって、末端部が前記開放端部キャップと前記閉鎖端部キャップとの間に軸方向に位置しており、前記環状に延びる部分は、前記第１の封止材に対する軸方向封止面及び半径方向封止面を与えている、請求項４に記載のフィルタエレメント。
【請求項９】
フィルタエレメントであって、
閉鎖端部及び開放端部と、前記閉鎖端部と前記開放端部との間を延びている側壁と、を有する外側ハウジングであって、前記側壁は前記開放端部におけるリップを画定している、前記外側ハウジングと、
前記外側ハウジング内で非着脱自在に固定されたフィルタカートリッジであって、
中央開口を有する開放端部キャップと、
閉鎖端部キャップと、
前記開放端部キャップと前記閉鎖端部キャップとの間を、且つ、長手軸の周囲を、前記長手軸に沿って延びており、内側キャビティを画定しており、更に、前記側壁とフィルタメディアの外側周辺部との間に外側キャビティを画定している当該フィルタメディアと、を有する前記フィルタカートリッジと、
前記外側ハウジング内で非着脱自在に固定された一体構造を有するベースプレートであって、
軸方向に延びる環状部分によって画定されている第１の流れ開口であって、前記内側キャビティと流体連通している前記第１の流れ開口と、
軸方向に延びる封止材取り付け部分と、
フィルタヘッドに前記フィルタエレメントを着脱自在に取り付けるように適合された外側取り付け部分であって、前記リップに軸方向に突き当たって、前記ベースプレートを前記外側ハウジング内で非着脱自在に固定している前記外側取り付け部分と、
前記外側キャビティと流体連通している少なくとも１つの入口ポートと、
前記軸方向に延びる封止材取り付け部分と前記外側取り付け部分との間にあって、前記外側ハウジング内で前記フィルタカートリッジを確実に保持している保持部分と、を画定している前記ベースプレートと、
前記開放端部キャップと前記軸方向に延びる環状部分の外側周辺面との間を封止している第１の封止材と、
前記軸方向に延びる封止材取り付け部分とフィルタヘッドの第１の封止面との間を半径方向に封止するように適合された第２の封止材と、
前記外側取り付け部分と前記フィルタヘッドの第２の封止面との間を封止するように適合された第３の封止材と、
を備えるフィルタエレメント。
【請求項１０】
前記少なくとも１つの入口ポートは、前記第１の流れ開口の周囲且つ半径方向外側に、間隔を置いて配置された複数の入口ポートである、請求項９に記載のフィルタエレメント。
【請求項１１】
前記軸方向に延びる環状部分は、前記保持部分に従属しており、前記中央開口を貫通して軸方向に延びて、少なくとも一部分がフィルタメディアに囲まれている、請求項９又は１０に記載のフィルタエレメント。
【請求項１２】
前記軸方向に延びる封止材取り付け部分は、前記第２の封止材を保持するように適合された半径方向外向き開口溝を画定している、請求項９から１１のいずれか一項に記載のフィルタエレメント。
【請求項１３】
入口及び出口を有しており、半径方向内向きの第１の封止面と半径方向外向きの第２の封止面とを画定しているフィルタヘッドと、
前記フィルタヘッドに着脱自在に取り付けられたフィルタエレメントであって、
外側ハウジングと、
前記外側ハウジング内で非着脱自在に固定されたフィルタカートリッジであって、
開放端部キャップと、
閉鎖端部キャップと、
前記開放端部キャップと前記閉鎖端部キャップとの間を、且つ、長手軸の周囲を、前記長手軸に沿って延びているフィルタメディアであって、内側キャビティを画定しており、更に、前記外側ハウジングと前記フィルタメディアの外側周辺部との間に外側キャビティを画定している前記フィルタメディアと、を有する前記フィルタカートリッジと、
前記外側キャビティを含む入口側と、
前記内側キャビティを含む出口側と、
一体構造を有し、前記外側ハウジング内で非着脱自在に固定されており、少なくとも１つの入口ポートを介する前記入口と前記入口側との間の流れを可能にしているベースプレートと、
前記開放端部キャップと前記ベースプレートとの間で保持されて、前記ベースプレートを前記開放端部キャップに対して封止し、前記入口側と前記出口側との間のバイパスを阻止している第１の封止材と、
前記ベースプレートと前記フィルタヘッドの前記第１の封止面との間で保持されている第２の封止材と、
前記ベースプレートと前記フィルタヘッドの前記第２の封止面との間に保持されている第３の封止材と、を更に有する前記フィルタエレメントと、を備え、
前記第１及び第２の封止材は、前記入口側と前記出口側との間の流体連通を制限するように配置されており、前記第３の封止材は、前記入口側と前記外側ハウジングの外側との間の流体連通を制限するように配置されている、
フィルタ。
【請求項１４】
前記ベースプレートと前記外側ハウジングとの間に保持されて、前記入口側と前記ハウジングの外側との間の流体連通を制限するように配置されている第４の封止材を更に備える、請求項１３に記載のフィルタ。
【請求項１５】
前記ベースプレートは、第１の流れ開口と、少なくとも１つの入口ポートと、封止材取り付け部分と、前記フィルタヘッドと着脱自在に係合する外側取り付け部分と、前記フィルタカートリッジを前記外側ハウジング内で非着脱自在に固定するように適合された保持部分と、を備える、請求項１３又は１４に記載のフィルタ。
【請求項１６】
前記外側ハウジングは、半径方向外向き突出部分及びリップ部分を画定しており、前記半径方向外向き突出部分及び前記リップ部分は、前記ベースプレートの外側周辺面を部分的に包むことにより、前記ベースプレートを前記ハウジング内で非着脱自在に固定している、請求項１３から１５のいずれか一項に記載のフィルタ。
【手続補正２】
【補正対象書類名】明細書
【補正対象項目名】００３１
【補正方法】変更
【補正の内容】
【００３１】
好ましい実施形態では、ベースプレート６０の保持部分６８が、開放端部キャップ４４の軸方向外側面４５に作用的に軸方向に突き当たる。更にベースプレート６０が外側ハウジング１２内で永続的に固定されている為、保持部分６８と開放端部キャップ４４との間の軸方向突き当たりによって、フィルタカートリッジ４０が外側ハウジング１２内で固定的且つ永続的に保持される。実施形態によっては、第１の封止材７２は、フィルタの動作時に圧縮されて、保持部分６８と開放端部キャップ４４との間の隙間４７が閉じるほどの、十分な弾力性及び柔軟性を有している。実施形態によっては、第１の封止材７２は、隙間４７が閉じることが可能であるほどの十分な弾力性及び柔軟性を有しなくてもよい。そのような実施形態では、封止材７２と階段状構成４６及び保持部分６８との軸方向突き当たりによって、フィルタカートリッジ４０が外側ハウジング１２内で永続的に固定される。